(57)【特許請求の範囲】
【請求項１】
基地局機能を有する複数のベースバンドユニット（ＢＢＵ）があり、各ＢＢＵにはベースバンドリソースを有する複数のベースバンドプレートが含まれており、各ＢＢＵによりカバーされる複数のセルの使用のために前記ベースバンドリソースを前記セルに配分する方法であって、
すべての前記セルとすべての前記ベースバンドプレートとに順次アクセスし、これらから同一のＢＢＵによりカバーされるセルと当該同一のＢＢＵに含まれるベースバンドプレートとを抽出して構成されるＢＢＵフレームを複数作り、すべての前記ＢＢＵフレームに順次アクセスし、各ＢＢＵフレームごとに、未配分セルの集合、配分済セルの集合、未調整セルの集合、アイドルベースバンドプレートの集合および関連のＢＢＵフレームの集合を作り、一のＢＢＵフレームに含まれるセルのうち、ベースバンドプレートが配分されていないセルを当該一のＢＢＵフレームに対応する未配分セルの集合に属させ、一のＢＢＵフレームに含まれるベースバンドプレートのうち、使用されていないベースバンドリソースを有するベースバンドプレートを当該一のＢＢＵフレームに対応するアイドルベースバンドプレートの集合に属させ、一のＢＢＵフレームと異なる使用されていないベースバンドリソースを有するベースバンドプレートを含む他のＢＢＵフレームに対し、その中のベースバンドプレートを当該一のＢＢＵフレームに含まれるセルに配分可能であれば、当該他のＢＢＵフレームを当該一のＢＢＵフレームに対応する関連のＢＢＵフレームの集合に属させるステップＡと、
前記ステップＡの処理において作られた各種の集合が含まれたすべての前記ＢＢＵフレームに順次アクセスし、使用されていないベースバンドリソースを有するベースバンドプレートが無くなるまで、配分原則に従って、すべての前記ＢＢＵフレームに含まれるベースバンドプレートを各ＢＢＵフレームに含まれるセルに配分するステップＢと、
を含むベースバンドリソースの配分方法。
【請求項２】
前記ステップＡは、
すべての前記セルとすべての前記ベースバンドプレートとに順次アクセスし、一のセルをカバーするリモート無線ユニット（ＲＲＵ）の属するＢＢＵのＢＢＵフレーム番号と、一のベースバンドプレートを含むＢＢＵのＢＢＵフレーム番号とが同じであれば、当該一のセルと当該一のベースバンドプレートとを抽出して構成される一のＢＢＵフレームを作り、このように作られるＢＢＵフレームの数をカウントするステップＡ１と、
前記ステップＡ１の処理において作られたすべての前記ＢＢＵフレームに順次アクセスし、各ＢＢＵフレームごとに、前記未配分セルの集合、前記配分済セルの集合、前記未調整セルの集合、前記アイドルベースバンドプレートの集合および前記関連のＢＢＵフレームの集合を作り、一のＢＢＵフレームに含まれるセルのうち、ベースバンドプレートが配分されていないセルを当該一のＢＢＵフレームに対応する未配分セルの集合に属させ、一のＢＢＵフレームに含まれるベースバンドプレートのうち、使用されていないベースバンドリソースを有するベースバンドプレートを当該一のＢＢＵフレームに対応するアイドルベースバンドプレートの集合に属させ、一のＢＢＵフレームと異なる使用されていないベースバンドリソースを有するベースバンドプレートを含む他のＢＢＵフレームに対し、その中のベースバンドプレートを当該一のＢＢＵフレームに含まれるセルに配分可能であれば、当該他のＢＢＵフレームを当該一のＢＢＵフレームに対応する関連のＢＢＵフレームの集合に属させるステップＡ２と、
を含む請求項１に記載のベースバンドリソースの配分方法。
【請求項３】
前記ステップＢは、
すべての前記ＢＢＵフレームに順次アクセスし、前記配分原則に従って、一のＢＢＵフレームに対応する未配分セルの集合に属するセルに対して、当該一のＢＢＵフレームに対応するアイドルベースバンドプレートの集合に属するベースバンドプレートを配分し、前記ベースバンドプレートの配分が成功すれば、当該セルを、当該未配分セルの集合から削除し、当該一のＢＢＵフレームに対応する配分済セルの集合に属させ、一方、当該一のＢＢＵフレームに対応するアイドルベースバンドプレートの集合に属するベースバンドプレートのベースバンドリソースが足らず、前記ベースバンドプレートの配分が失敗すれば、当該セルを、当該未配分セルの集合から削除し、当該一のＢＢＵフレームに対応する未調整セルの集合に属させるステップＢ１と、
前記ステップＢ１の処理に続いて、すべての前記ＢＢＵフレームに順次アクセスし、前記配分原則に従って、一のＢＢＵフレームに対応する未調整セルの集合に属するセルに対して、当該一のＢＢＵフレームに対応する関連のＢＢＵフレームの集合に包含される他のＢＢＵフレームに含まれるアイドルベースバンドプレートの集合の中のベースバンドプレートを配分するステップＢ２と、
前記ステップＢ２の処理に続いて、すべての前記ＢＢＵフレームに順次アクセスし、前記配分原則に従って、一のＢＢＵフレームに対応するアイドルベースバンドプレートの集合に属し、使用されていないベースバンドリソースを有するベースバンドプレートを、当該一のＢＢＵフレームに対応する配分済セルの集合に属するセルに配分するステップＢ３と、
を含む請求項１または請求項２に記載のベースバンドリソースの配分方法。
【請求項４】
前記ステップＢ１は、
すべての前記ＢＢＵフレームに順次アクセスし、各ＢＢＵフレームに対応する未配分セルの集合に属するセルに対して、一回のみ、そのセルを含むＢＢＵフレームに対応するアイドルベースバンドプレートの集合に属するベースバンドプレートを配分し、各ＢＢＵフレームに対応する未配分セルの集合に属するセルに対して、前記ベースバンドプレートの配分が成功すれば、そのセルを、そのセルの属する未配分セルの集合から削除し、そのセルを含むＢＢＵフレームに対応する配分済セルの集合に属させ、使用されていないベースバンドリソースが無くなったベースバンドプレートを、そのベースバンドプレートの属するアイドルベースバンドプレートの集合から削除し、一方、各ＢＢＵフレームに対応する未配分セルの集合に属するセルに対して、そのセルを含むＢＢＵフレームに対応するアイドルベースバンドプレートの集合に属するベースバンドプレートのベースバンドリソースが足らず、前記ベースバンドプレートの配分が失敗すれば、そのセルを、そのセルの属する未配分セルの集合から削除し、そのセルを含むＢＢＵフレームに対応する未調整セルの集合に属させ、このようにして、すべての前記ＢＢＵフレームに対応する未配分セルの集合を空にすることを含む請求項３に記載のベースバンドリソースの配分方法。
【請求項５】
前記ステップＢ２は、
すべての前記ＢＢＵフレームに順次アクセスし、各ＢＢＵフレームに対応する未調整セルの集合が空であるか否かを判断するステップＢ２１と、
前記ステップＢ２１の処理によって、一のＢＢＵフレームに対応する未調整セルの集合が空でないと確定された場合、当該一のＢＢＵフレームに対応する関連のＢＢＵフレームの集合に包含される他のＢＢＵフレームを、他のＢＢＵフレームのアイドルベースバンドプレートの集合にそれぞれに含まれるベースバンドプレートにおける使用されていないベースバンドリソースの量に基づいて降順に並べるステップＢ２２と、
当該未調整セルの集合に属するセルに対して、前記ステップＢ２２の処理において降順に並べた順にしたがって他のＢＢＵフレームのアイドルベースバンドプレートの集合に含まれるベースバンドプレートを配分するステップＢ２３と、
前記ステップＢ２３の処理においてベースバンドプレートの配分が成功したセルを、当該セルの属する未調整セルの集合から削除し、配分されたベースバンドプレートを含む他のＢＢＵフレームに対応する配分済セルの集合に属させ、当該一のＢＢＵフレームに対応する関連のＢＢＵフレームの集合に包含される他のＢＢＵフレームに含まれるアイドルベースバンドプレートの集合の中のベースバンドプレートにおける使用されていないベースバンドリソースの量を更新して、前記ステップＢ２１の処理に戻るステップＢ２４と、
前記ステップＢ２３の処理においてベースバンドプレートの配分が失敗した未調整セルの集合に属するセルに対して、前記ステップＢ２２の処理において降順に並べたすべての他のＢＢＵフレームに含まれるベースバンドプレートを配分できないため、当該セルに対するベースバンドプレートの配分が失敗したとしてプロセスを終了するステップＢ２５と、
を含む請求項３または請求項４に記載のベースバンドリソースの配分方法。
【請求項６】
前記ステップＢ３は、
すべての前記ＢＢＵフレームに順次アクセスし、一のＢＢＵフレームのアイドルベースバンドプレートの集合が空でない場合、当該一のＢＢＵフレームに対応する配分済セルの集合に属するすべてのセルを、当該一のＢＢＵフレームに対応する未配分セルの集合に属させ、使用されていないベースバンドリソースを有するベースバンドプレートが無くなるまで、当該未配分セルの集合に属するセルに対して、当該一のＢＢＵフレームに対応するアイドルベースバンドの集合に属するベースバンドプレートを更に配分し、使用されていないベースバンドリソースが無くなったベースバンドプレートは、当該アイドルベースバンドプレートの集合から削除されること、
を含む請求項３〜請求項５のいずれか一つに記載のベースバンドリソースの配分方法。
【請求項７】
前記ステップＢにおいて、前記配分原則は、
ベースバンドプレートを人為的に配分するセルに対しては、配分を行わないこと、
第１類のセル、第２類のセルに対しては、それぞれ単独にベースバンドプレートを配分すること、
第３類のセルに対しては、先にアウトドーアセルで後にインドアセルという配分順序で配分すること、
一つのセルに対しては、複数のベースバンドプレートを配分できること、
複数の基地局により構築されたクラスタ環境において、一のＢＢＵフレームに含まれるセルに対しては、当該一のＢＢＵフレームに含まれるベースバンドプレートを配分することを優先し、当該一のＢＢＵフレームに含まれるベースバンドプレートを配分できない場合に限り、当該一のＢＢＵフレームと異なる他のＢＢＵフレームに含まれるベースバンドプレートを配分すること、又は、
一のＢＢＵフレームから当該一のＢＢＵフレームと異なる他のＢＢＵフレームに移されるセルのトータルの数は、異なるＢＢＵフレームの間のセルの移しを許容する数に制限されること、
を含む請求項１〜請求項６のいずれか一つに記載のベースバンドリソースの配分方法。
【請求項８】
基地局機能を有する複数のベースバンドユニット（ＢＢＵ）があり、各ＢＢＵにはベースバンドリソースを有する複数のベースバンドプレートが含まれており、各ＢＢＵによりカバーされる複数のセルの使用のために前記ベースバンドリソースを前記セルに配分する装置であって、生成ユニット、配分ユニットを含み、
前記生成ユニットは、すべての前記セルとすべての前記ベースバンドプレートとに順次アクセスし、これらから同一のＢＢＵによりカバーされるセルと当該同一のＢＢＵに含まれるベースバンドプレートとを抽出して構成されるＢＢＵフレームを複数作り、すべての前記ＢＢＵフレームに順次アクセスし、各ＢＢＵフレームごとに、未配分セルの集合、配分済セルの集合、未調整セルの集合、アイドルベースバンドプレートの集合および関連のＢＢＵフレームの集合を作り、一のＢＢＵフレームに含まれるセルのうち、ベースバンドプレートが配分されていないセルを当該一のＢＢＵフレームに対応する未配分セルの集合に属させ、一のＢＢＵフレームに含まれるベースバンドプレートのうち、使用されていないベースバンドリソースを有するベースバンドプレートを当該一のＢＢＵフレームに対応するアイドルベースバンドプレートの集合に属させ、一のＢＢＵフレームと異なる使用されていないベースバンドリソースを有するベースバンドプレートを含む他のＢＢＵフレームに対し、その中のベースバンドプレートを当該一のＢＢＵフレームに含まれるセルに配分可能であれば、当該他のＢＢＵフレームを当該一のＢＢＵフレームに対応する関連のＢＢＵフレームの集合に属させ、
前記配分ユニットは、前記生成ユニットにより対応する各種の集合が作られたすべての前記ＢＢＵフレームに順次アクセスし、使用されていないベースバンドリソースを有するベースバンドプレートが無くなるまで、配分原則に従って、すべての前記ＢＢＵフレームに含まれるベースバンドプレートを各ＢＢＵフレームに含まれるセルに配分する、
ベースバンドリソースの配分装置。
【請求項９】
前記生成ユニットは、
すべての前記セルとすべての前記ベースバンドプレートとに順次アクセスし、一のセルをカバーするリモート無線ユニット（ＲＲＵ）の属するＢＢＵのＢＢＵフレーム番号と、一のベースバンドプレートを含むＢＢＵのＢＢＵフレーム番号とが同じであれば、当該一のセルと当該一のベースバンドプレートとを抽出して構成される一のＢＢＵフレームを作り、このように作られるＢＢＵフレームの数をカウントし、
すべての前記ＢＢＵフレームに順次アクセスし、各ＢＢＵフレームごとに、前記未配分セルの集合、前記配分済セルの集合、前記未調整セルの集合、前記アイドルベースバンドプレートの集合および前記関連のＢＢＵフレームの集合を作り、一のＢＢＵフレームに含まれるセルのうち、ベースバンドプレートが配分されていないセルを当該一のＢＢＵフレームに対応する未配分セルの集合に属させ、一のＢＢＵフレームに含まれるベースバンドプレートのうち、使用されていないベースバンドリソースを有するベースバンドプレートを当該一のＢＢＵフレームに対応するアイドルベースバンドプレートの集合に属させ、一のＢＢＵフレームと異なる使用されていないベースバンドリソースを有するベースバンドプレートを含む他のＢＢＵフレームに対し、その中のベースバンドプレートを当該一のＢＢＵフレームに含まれるセルに配分可能であれば、当該他のＢＢＵフレームを当該一のＢＢＵフレームに対応する関連のＢＢＵフレームの集合に属させる、
請求項８に記載のベースバンドリソースの配分装置。
【請求項１０】
前記配分ユニットは、
すべての前記ＢＢＵフレームに順次アクセスし、前記配分原則に従って、一のＢＢＵフレームに対応する未配分セルの集合に属するセルに対して、当該一のＢＢＵフレームに対応するアイドルベースバンドプレートの集合に属するベースバンドプレートを配分し、前記ベースバンドプレートの配分が成功すれば、当該セルを、当該未配分セルの集合から削除し、当該一のＢＢＵフレームに対応する配分済セルの集合に属させ、一方、当該一のＢＢＵフレームに対応するアイドルベースバンドプレートの集合に属するベースバンドプレートのベースバンドリソースが足らず、前記ベースバンドプレートの配分が失敗すれば、当該セルを、当該未配分セルの集合から削除し、当該一のＢＢＵフレームに対応する未調整セルの集合に属させ、
すべての前記ＢＢＵフレームに順次アクセスし、前記配分原則に従って、一のＢＢＵフレームに対応する未調整セルの集合に属するセルに対して、当該一のＢＢＵフレームに対応する関連のＢＢＵフレームの集合に包含されるアイドルベースバンドプレートの集合の中の他のＢＢＵフレームに含まれるベースバンドプレートを配分し、
すべての前記ＢＢＵフレームに順次アクセスし、前記配分原則に従って、一のＢＢＵフレームに対応するアイドルベースバンドプレートの集合に属する使用されていないベースバンドリソースを有するベースバンドプレートを、当該一のＢＢＵフレームに対応する配分済セルの集合に属するセルに配分する、
請求項８または請求項９に記載のベースバンドリソースの配分装置。
【請求項１１】
前記配分原則は、
ベースバンドプレートを人為的に配分するセルに対しては、配分を行わないこと、
第１類のセル、第２類のセルに対しては、それぞれ単独にベースバンドプレートを配分すること、
第３類のセルに対しては、先にアウトドーアセルで後にインドアセルという配分順序で配分すること、
一つのセルに対しては、複数のベースバンドプレートを配分できること、
複数の基地局により構築されたクラスタ環境において、一のＢＢＵフレームに含まれるセルに対しては、当該一のＢＢＵフレームに含まれるベースバンドプレートを配分することを優先し、当該一のＢＢＵフレームに含まれるベースバンドプレートを配分できない場合に限り、当該一のＢＢＵフレームと異なる他のＢＢＵフレームに含まれるベースバンドプレートを配分すること、又は、
一のＢＢＵフレームから当該一のＢＢＵフレームと異なる他のＢＢＵフレームに移されるセルのトータルの数は、異なるＢＢＵフレームの間のセルの移しを許容する数に制限されること、
を含む請求項８〜請求項１０のいずれか一つに記載のベースバンドリソースの配分装置。
【発明の詳細な説明】
【技術分野】
【０００１】
本発明は、無線通信システムに関し、特にクラスタ環境におけるベースバンドリソースの配分方法及びベースバンドリソースの配分装置に関する。
【背景技術】
【０００２】
従来の単一の基地局の環境において、セルとベースバンドプレートのマッピング関係は、該単一の基地局における幾つかのベースバンドプレートに限定されたものである。このため、セルとベースバンドプレートの配分関係は人によって設定されたものである。
【０００３】
一方で、クラスタ環境を導入した後、セルとマッピングするベースバンドプレートは、単一の基地局におけるベースバンドプレートに限定されるものではない。この場合において、相変わらず人によって設定することによりベースバンドリソースを配分すると、時間と労力がかなりかかり、且つサービス担当者はベースバンドプレートのベースバンドリソースの総量及び各タイプのセルのベースバンドリソースに対する使用量を十分に了解する必要がある。このように、サービス担当者の作業量を大幅に向上させ、その作業負担を増加させるとともにサービス担当者に対しては優れた技術能力を備えることを要求し、同時に設定過程を人が関与するため、エラーの確率を増加させ、クラスタ環境において大規模な基地局を構成する際、その作業効率を大幅に低下させる。
【発明の概要】
【発明が解決しようとする課題】
【０００４】
本発明は、配分原則に従って循環方式によりベースバンドリソースをセルに配分し、ベースバンドリソースを十分に利用することによりベースバンドリソースの最大限の利用を図り、同時に人が関与する過程を減少し、エラーの確率を低下させ、クラスタ環境において大規模な基地局を構成する際、その作業効率を大幅に向上させるベースバンドリソースの配分方法及びベースバンドリソースの配分装置を提供することを目的とする。
【課題を解決するための手段】
【０００５】
本発明に係るベースバンドリソースの配分方法は、
基地局機能を有する複数のベースバンドユニット（ＢＢＵ）があり、各ＢＢＵにはベースバンドリソースを有する複数のベースバンドプレートが含まれており、各ＢＢＵによりカバーされる複数のセルの使用のために前記ベースバンドリソースを前記セルに配分する方法であって、
すべての前記セルとすべての前記ベースバンドプレートとに順次アクセスし、これらから同一のＢＢＵによりカバーされるセルと当該同一のＢＢＵに含まれるベースバンドプレートとを抽出して構成されるＢＢＵフレームを複数作り、すべての前記ＢＢＵフレームに順次アクセスし、各ＢＢＵフレームごとに、未配分セルの集合、配分済セルの集合、未調整セルの集合、アイドルベースバンドプレートの集合および関連のＢＢＵフレームの集合を作り、一のＢＢＵフレームに含まれるセルのうち、ベースバンドプレートが配分されていないセルを当該一のＢＢＵフレームに対応する未配分セルの集合に属させ、一のＢＢＵフレームに含まれるベースバンドプレートのうち、使用されていないベースバンドリソースを有するベースバンドプレートを当該一のＢＢＵフレームに対応するアイドルベースバンドプレートの集合に属させ、一のＢＢＵフレームと異なる使用されていないベースバンドリソースを有するベースバンドプレートを含む他のＢＢＵフレームに対し、その中のベースバンドプレートを当該一のＢＢＵフレームに含まれるセルに配分可能であれば、当該他のＢＢＵフレームを当該一のＢＢＵフレームに対応する関連のＢＢＵフレームの集合に属させるステップＡと、
前記ステップＡの処理において作られた各種の集合が含まれるすべての前記ＢＢＵフレームに順次アクセスし、使用されていないベースバンドリソースを有するベースバンドプレートが無くなるまで、配分原則に従って、すべての前記ＢＢＵフレームに含まれるベースバンドプレートを各ＢＢＵフレームに含まれるセルに配分するステップＢと、
を含む。
【０００６】
選択的に、前記ステップＡは、
すべての前記セルとすべての前記ベースバンドプレートとに順次アクセスし、一のセルをカバーするリモート無線ユニット（ＲＲＵ）の属するＢＢＵのＢＢＵフレーム番号と、一のベースバンドプレートを含むＢＢＵのＢＢＵフレーム番号とが同じであれば、当該一のセルと当該一のベースバンドプレートとを抽出して構成される一のＢＢＵフレームを作り、このように作られるＢＢＵフレームの数をカウントするステップＡ１と、
前記ステップＡ１の処理において作られたすべての前記ＢＢＵフレームに順次アクセスし、各ＢＢＵフレームごとに、前記未配分セルの集合、前記配分済セルの集合、前記未調整セルの集合、前記アイドルベースバンドプレートの集合および前記関連のＢＢＵフレームの集合を作り、一のＢＢＵフレームに含まれるセルのうち、ベースバンドプレートが配分されていないセルを当該一のＢＢＵフレームに対応する未配分セルの集合に属させ、一のＢＢＵフレームに含まれるベースバンドプレートのうち、使用されていないベースバンドリソースを有するベースバンドプレートを当該一のＢＢＵフレームに対応するアイドルベースバンドプレートの集合に属させ、一のＢＢＵフレームと異なる使用されていないベースバンドリソースを有するベースバンドプレートを含む他のＢＢＵフレームに対し、その中のベースバンドプレートを当該一のＢＢＵフレームに含まれるセルに配分可能であれば、当該他のＢＢＵフレームを当該一のＢＢＵフレームに対応する関連のＢＢＵフレームの集合に属させるステップＡ２と、
を含む。
【０００７】
選択的に、前記ステップＢは、
すべての前記ＢＢＵフレームに順次アクセスし、前記配分原則に従って、一のＢＢＵフレームに対応する未配分セルの集合に属するセルに対して、当該一のＢＢＵフレームに対応するアイドルベースバンドプレートの集合に属するベースバンドプレートを配分し、前記ベースバンドプレートの配分が成功すれば、当該セルを、当該未配分セルの集合から削除し、当該一のＢＢＵフレームに対応する配分済セルの集合に属させ、一方、当該一のＢＢＵフレームに対応するアイドルベースバンドプレートの集合に属するベースバンドプレートのベースバンドリソースが足らず、前記ベースバンドプレートの配分が失敗すれば、当該セルを、当該未配分セルの集合から削除し、当該一のＢＢＵフレームに対応する未調整セルの集合に属させるステップＢ１と、
前記ステップＢ１の処理に続いて、すべての前記ＢＢＵフレームに順次アクセスし、前記配分原則に従って、一のＢＢＵフレームに対応する未調整セルの集合に属するセルに対して、当該一のＢＢＵフレームに対応する関連のＢＢＵフレームの集合に包含される他のＢＢＵフレームに含まれるアイドルベースバンドプレートの集合の中のベースバンドプレートを配分するステップＢ２と、
前記ステップＢ２の処理に続いて、すべての前記ＢＢＵフレームに順次アクセスし、前記配分原則に従って、一のＢＢＵフレームに対応するアイドルベースバンドプレートの集合に属し、使用されていないベースバンドリソースを有するベースバンドプレートを、当該一のＢＢＵフレームに対応する配分済セルの集合に属するセルに配分するステップＢ３と、
を含む。
【０００８】
選択的に、前記ステップＢ１は、
すべての前記ＢＢＵフレームに順次アクセスし、各ＢＢＵフレームに対応する未配分セルの集合に属するセルに対して、一回のみ、そのセルを含むＢＢＵフレームに対応するアイドルベースバンドプレートの集合に属するベースバンドプレートを配分し、各ＢＢＵフレームに対応する未配分セルの集合に属するセルに対して、前記ベースバンドプレートの配分が成功すれば、そのセルを、そのセルの属する未配分セルの集合から削除し、そのセルを含むＢＢＵフレームに対応する配分済セルの集合に属させ、使用されていないベースバンドリソースが無くなったベースバンドプレートを、そのベースバンドプレートの属するアイドルベースバンドプレートの集合から削除し、一方、各ＢＢＵフレームに対応する未配分セルの集合に属するセルに対して、そのセルを含むＢＢＵフレームに対応するアイドルベースバンドプレートの集合に属するベースバンドプレートのベースバンドリソースが足らず、前記ベースバンドプレートの配分が失敗すれば、そのセルを、そのセルの属する未配分セルの集合から削除し、そのセルを含むＢＢＵフレームに対応する未調整セルの集合に属させ、このようにして、すべての前記ＢＢＵフレームに対応する未配分セルの集合を空にすることを含む。
【０００９】
選択的に、前記ステップＢ２は、
すべての前記ＢＢＵフレームに順次アクセスし、各ＢＢＵフレームに対応する未調整セルの集合が空であるか否かを判断するステップＢ２１と、
前記ステップＢ２１の処理によって、一のＢＢＵフレームに対応する未調整セルの集合が空でないと確定された場合、当該一のＢＢＵフレームに対応する関連のＢＢＵフレームの集合に包含される他のＢＢＵフレームを、他のＢＢＵフレームのアイドルベースバンドプレートの集合にそれぞれに含まれるベースバンドプレートにおける使用されていないベースバンドリソースの量に基づいて降順に並べるステップＢ２２と、
当該未調整セルの集合に属するセルに対して、前記ステップＢ２２の処理において降順に並べた順にしたがって他のＢＢＵフレームのアイドルベースバンドプレートの集合に含まれるベースバンドプレートを配分するステップＢ２３と、
前記ステップＢ２３の処理においてベースバンドプレートの配分が成功したセルを、当該セルの属する未調整セルの集合から削除し、配分されたベースバンドプレートを含む他のＢＢＵフレームに対応する配分済セルの集合に属させ、当該一のＢＢＵフレームに対応する関連のＢＢＵフレームの集合に包含される他のＢＢＵフレームに含まれるアイドルベースバンドプレートの集合の中のベースバンドプレートにおける使用されていないベースバンドリソースの量を更新して、前記ステップＢ２１の処理に戻るステップＢ２４と、
前記ステップＢ２３の処理においてベースバンドプレートの配分が失敗した未調整セルの集合に属するセルに対して、前記ステップＢ２２の処理において降順に並べたすべての他のＢＢＵフレームに含まれるベースバンドプレートを配分できないため、当該セルに対するベースバンドプレートの配分が失敗したとしてプロセスを終了するステップＢ２５と、
を含む。
【００１０】
選択的に、前記ステップＢ３は、
すべての前記ＢＢＵフレームに順次アクセスし、一のＢＢＵフレームのアイドルベースバンドプレートの集合が空でない場合、当該一のＢＢＵフレームに対応する配分済セルの集合に属するすべてのセルを、当該一のＢＢＵフレームに対応する未配分セルの集合に属させ、使用されていないベースバンドリソースを有するベースバンドプレートが無くなるまで、当該未配分セルの集合に属するセルに対して、当該一のＢＢＵフレームに対応するアイドルベースバンドの集合に属するベースバンドプレートを更に配分し、使用されていないベースバンドリソースが無くなったベースバンドプレートは、当該アイドルベースバンドプレートの集合から削除されること、
を含む。
【００１１】
選択的に、前記ステップＢにおいて、前記配分原則は、
ベースバンドプレートを人為的に配分するセルに対しては、配分を行わないこと、
第１類のセル、第２類のセルに対しては、それぞれ単独にベースバンドプレートを配分すること、
第３類のセルに対しては、先にアウトドーアセルで後にインドアセルという配分順序で配分すること、
一つのセルに対しては、複数のベースバンドプレートを配分できること、
複数の基地局により構築されたクラスタ環境において、一のＢＢＵフレームに含まれるセルに対しては、当該一のＢＢＵフレームに含まれるベースバンドプレートを配分することを優先し、当該一のＢＢＵフレームに含まれるベースバンドプレートを配分できない場合に限り、当該一のＢＢＵフレームと異なる他のＢＢＵフレームに含まれるベースバンドプレートを配分すること、又は、
一のＢＢＵフレームから当該一のＢＢＵフレームと異なる他のＢＢＵフレームに移されるセルのトータルの数は、異なるＢＢＵフレームの間のセルの移しを許容する数に制限されること、
を含む。
【００１２】
本発明に係るベースバンドリソースの配分装置は、基地局機能を有する複数のベースバンドユニット（ＢＢＵ）があり、各ＢＢＵにはベースバンドリソースを有する複数のベースバンドプレートが含まれており、各ＢＢＵによりカバーされる複数のセルの使用のために前記ベースバンドリソースを前記セルに配分する装置であって、生成ユニット、配分ユニットを含み、
前記生成ユニットは、すべての前記セルとすべての前記ベースバンドプレートとに順次アクセスし、これらから同一のＢＢＵによりカバーされるセルと当該同一のＢＢＵに含まれるベースバンドプレートとを抽出して構成されるＢＢＵフレームを複数作り、すべての前記ＢＢＵフレームに順次アクセスし、各ＢＢＵフレームごとに、未配分セルの集合、配分済セルの集合、未調整セルの集合、アイドルベースバンドプレートの集合および関連のＢＢＵフレームの集合を作り、一のＢＢＵフレームに含まれるセルのうち、ベースバンドプレートが配分されていないセルを当該一のＢＢＵフレームに対応する未配分セルの集合に属させ、一のＢＢＵフレームに含まれるベースバンドプレートのうち、使用されていないベースバンドリソースを有するベースバンドプレートを当該一のＢＢＵフレームに対応するアイドルベースバンドプレートの集合に属させ、一のＢＢＵフレームと異なる使用されていないベースバンドリソースを有するベースバンドプレートを含む他のＢＢＵフレームに対し、その中のベースバンドプレートを当該一のＢＢＵフレームに含まれるセルに配分可能であれば、当該他のＢＢＵフレームを当該一のＢＢＵフレームに対応する関連のＢＢＵフレームの集合に属させ、
前記配分ユニットは、前記生成ユニットにより対応する各種の集合が作られたすべての前記ＢＢＵフレームに順次アクセスし、使用されていないベースバンドリソースを有するベースバンドプレートが無くなるまで、配分原則に従って、すべての前記ＢＢＵフレームに含まれるベースバンドプレートを各ＢＢＵフレームに含まれるセルに配分する。
【００１３】
選択的に、前記生成ユニットは、
すべての前記セルとすべての前記ベースバンドプレートとに順次アクセスし、一のセルをカバーするリモート無線ユニット（ＲＲＵ）の属するＢＢＵのＢＢＵフレーム番号と、一のベースバンドプレートを含むＢＢＵのＢＢＵフレーム番号とが同じであれば、当該一のセルと当該一のベースバンドプレートとを抽出して構成される一のＢＢＵフレームを作り、このように作られるＢＢＵフレームの数をカウントし、
すべての前記ＢＢＵフレームに順次アクセスし、各ＢＢＵフレームごとに、前記未配分セルの集合、前記配分済セルの集合、前記未調整セルの集合、前記アイドルベースバンドプレートの集合および前記関連のＢＢＵフレームの集合を作り、一のＢＢＵフレームに含まれるセルのうち、ベースバンドプレートが配分されていないセルを当該一のＢＢＵフレームに対応する未配分セルの集合に属させ、一のＢＢＵフレームに含まれるベースバンドプレートのうち、使用されていないベースバンドリソースを有するベースバンドプレートを当該一のＢＢＵフレームに対応するアイドルベースバンドプレートの集合に属させ、一のＢＢＵフレームと異なる使用されていないベースバンドリソースを有するベースバンドプレートを含む他のＢＢＵフレームに対し、その中のベースバンドプレートを当該一のＢＢＵフレームに含まれるセルに配分可能であれば、当該他のＢＢＵフレームを当該一のＢＢＵフレームに対応する関連のＢＢＵフレームの集合に属させる。
【００１４】
選択的に、前記配分ユニットは、
すべての前記ＢＢＵフレームに順次アクセスし、前記配分原則に従って、一のＢＢＵフレームに対応する未配分セルの集合に属するセルに対して、当該一のＢＢＵフレームに対応するアイドルベースバンドプレートの集合に属するベースバンドプレートを配分し、前記ベースバンドプレートの配分が成功すれば、当該セルを、当該未配分セルの集合から削除し、当該一のＢＢＵフレームに対応する配分済セルの集合に属させ、一方、当該一のＢＢＵフレームに対応するアイドルベースバンドプレートの集合に属するベースバンドプレートのベースバンドリソースが足らず、前記ベースバンドプレートの配分が失敗すれば、当該セルを、当該未配分セルの集合から削除し、当該一のＢＢＵフレームに対応する未調整セルの集合に属させ、
すべての前記ＢＢＵフレームに順次アクセスし、前記配分原則に従って、一のＢＢＵフレームに対応する未調整セルの集合に属するセルに対して、当該一のＢＢＵフレームに対応する関連のＢＢＵフレームの集合に包含されるアイドルベースバンドプレートの集合の中の他のＢＢＵフレームに含まれるベースバンドプレートを配分し、
すべての前記ＢＢＵフレームに順次アクセスし、前記配分原則に従って、一のＢＢＵフレームに対応するアイドルベースバンドプレートの集合に属する使用されていないベースバンドリソースを有するベースバンドプレートを、当該一のＢＢＵフレームに対応する配分済セルの集合に属するセルに配分する。
【００１５】
選択的に、前記配分原則は、
ベースバンドプレートを人為的に配分するセルに対しては、配分を行わないこと、
第１類のセル、第２類のセルに対しては、それぞれ単独にベースバンドプレートを配分すること、
第３類のセルに対しては、先にアウトドーアセルで後にインドアセルという配分順序で配分すること、
一つのセルに対しては、複数のベースバンドプレートを配分できること、
複数の基地局により構築されたクラスタ環境において、一のＢＢＵフレームに含まれるセルに対しては、当該一のＢＢＵフレームに含まれるベースバンドプレートを配分することを優先し、当該一のＢＢＵフレームに含まれるベースバンドプレートを配分できない場合に限り、当該一のＢＢＵフレームと異なる他のＢＢＵフレームに含まれるベースバンドプレートを配分すること、又は、
一のＢＢＵフレームから当該一のＢＢＵフレームと異なる他のＢＢＵフレームに移されるセルのトータルの数は、異なるＢＢＵフレームの間のセルの移しを許容する数に制限されること、
を含む。
【発明の効果】
【００１６】
従来の技術と比べて、本発明に係るベースバンドリソースの配分方法及びベースバンドリソースの配分装置は、基地局のベースバンドリソースを自動配分する方式を採用し、配分原則に従って循環方式によりセルにベースバンドリソースを配分し、ベースバンドリソースを十分に利用することによりベースバンドリソースの最大限の利用を図るとともにサービス担当者に対する技術要求を低下させ、同時に人が関与する過程を減少し、エラーの確率をも低下させ、クラスタ環境において大規模な基地局を構成する際、その作業効率を大幅に向上させることができる。
【図面の簡単な説明】
【００１７】
【図１】図１は本発明に係るベースバンドリソースの配分方法を示すフローチャートである。
【図２】図２は本発明に係るベースバンドリソースの配分装置の模式図である。
【発明を実施するための形態】
【００１８】
以下、図面を参照して本発明の実施例を詳しく説明する。なお、衝突しない限り、本発明における実施例及び実施例における特徴は互いに任意に組み合わせられる。
【００１９】
本発明の実施例に係るベースバンドリソースの配分方法では、配分原則に従って、使用されていないベースバンドリソースを有するベースバンドプレートが無くなるまで、循環方式によってベースバンドプレートをセルに配分することによりベースバンドリソースの最大限の使用を図る。予めバックグラウンドを介して導入されるリソース設定テーブルからセルの集合とベースバンドプレートの集合を抽出し、本発明に係るベースバンドリソースの配分方法により、セルとベースバンドプレートのマッピング関係を取得する。
【００２０】
セルの半径、移動速度などに従って、セルのタイプを第１類のセル、第２類のセルおよび第３類のセルに分類することにより、類別の処理を便利にする。第１類のセルは、半径が４０ＫＭを超え、移動速度が２５０ＫＭ／Ｈよりも小さいセルであり、第２類のセルは、移動速度が２５０ＫＭ／Ｈを超え、半径が５ＫＭよりも小さいセルであり、第３類のセルは、半径が４０ＫＭ以下で、移動速度が２５０ＫＭ／Ｈ以下のセルである。
【００２１】
後述する各ＢＢＵフレームごとに、後述する処理の必要のため、以下のように設定される集合を定義し、説明する。
未配分セルの集合は、一のＢＢＵフレームに含まれるセルのうち、ベースバンドプレートを配分する必要があるセルの集合である。
配分済セルの集合は、一のＢＢＵフレームに含まれるセルのうち、ベースバンドプレートが配分されたセルの集合である。
未調整セルの集合は、一のＢＢＵフレームに含まれるセルのうち、当該一のＢＢＵフレームから他のＢＢＵフレームに移されて当該他のＢＢＵフレームに含ませる必要があるセルの集合である。
アイドルベースバンドプレートの集合は、一のＢＢＵフレームに含まれるベースバンドプレートのうち、使用されていないベースバンドリソースを有するベースバンドプレートの集合である。
関連のＢＢＵフレームの集合は、一のＢＢＵフレームと異なる他のＢＢＵフレームを包含する集合であって、当該他のＢＢＵフレームは、使用されていないベースバンドリソースを有するベースバンドプレートを含み、当該ベースバンドプレートを当該一のＢＢＵに含まれるセルに配分可能である。
【００２２】
図１に示すように、本発明の実施例に係るベースバンドリソースの配分方法は、以下に示すようなステップＡ、ステップＢを含む。
（ステップＡ）
すべてのセルとすべてのベースバンドプレートとに順次アクセスし、これらから同一のＢＢＵによりカバーされるセルと当該同一のＢＢＵに含まれるベースバンドプレートとを抽出して構成されるＢＢＵフレームを複数作り、すべてのＢＢＵフレームに順次アクセスし、各ＢＢＵフレームごとに、未配分セルの集合、配分済セルの集合、未調整セルの集合、アイドルベースバンドプレートの集合及び関連のＢＢＵフレームの集合を作り、一のＢＢＵフレームに含まれるセルのうち、ベースバンドプレートが配分されていないセルを当該一のＢＢＵフレームに対応する未配分セルの集合に属させ、一のＢＢＵフレームに含まれるベースバンドプレートのうち、使用されていないベースバンドリソースを有するベースバンドプレートを当該一のＢＢＵフレームに対応するアイドルベースバンドプレートの集合に属させ、一のＢＢＵフレームと異なる使用されていないベースバンドリソースを有するベースバンドプレートを含む他のＢＢＵフレームに対し、その中のベースバンドプレートを当該一のＢＢＵフレームに含まれるセルに配分可能であれば、当該他のＢＢＵフレームを当該一のＢＢＵフレームに対応する関連のＢＢＵフレームの集合に属させる。ステップＡの処理は、具体的には、ステップＡ１、ステップＡ２を含む。
（ステップＡ１）
すべてのセルとすべてのベースバンドプレートとに順次アクセスし、一のセルをカバーするリモート無線ユニット（ＲＲＵ）の属するＢＢＵのＢＢＵフレーム番号と、一のベースバンドプレートを含むＢＢＵのＢＢＵフレーム番号とが同じであれば、当該一のセルと当該一のベースバンドプレートとを抽出して構成される一のＢＢＵフレームを作り、このように作られるＢＢＵフレームの数をカウントする。
（ステップＡ２）
ステップＡ１の処理において作られたすべてのＢＢＵフレームに順次アクセスし、各ＢＢＵフレームごとに、未配分セルの集合、配分済セルの集合、未調整セルの集合、アイドルベースバンドプレートの集合および関連のＢＢＵフレームの集合を作る。そして、一のＢＢＵフレームに含まれるセルのうち、ベースバンドプレートが配分されていないセルを当該一のＢＢＵフレームに対応する未配分セルの集合に属させ、一のＢＢＵフレームに含まれるベースバンドプレートのうち、使用されていないベースバンドリソースを有するベースバンドプレートを当該一のＢＢＵフレームに対応するアイドルベースバンドプレートの集合に属させ、一のＢＢＵフレームと異なる使用されていないベースバンドリソースを有するベースバンドプレートを含む他のＢＢＵフレームに対し、その中のベースバンドプレートを当該一のＢＢＵフレームに含まれるセルに配分可能であれば、当該他のＢＢＵフレームを当該一のＢＢＵフレームに対応する関連のＢＢＵフレームの集合に属させる。
【００２３】
（ステップＢ）
ステップＡの処理において作られた各種の集合が含まれたすべてのＢＢＵフレームに順次アクセスし、使用されていないベースバンドリソースを有するベースバンドプレートが無くなるまで、配分原則に従って、すべてのＢＢＵフレームに含まれるベースバンドプレートを各ＢＢＵフレームに含まれるセルに配分する。
【００２４】
ベースバンドプレートの配分原則は以下の通りである。
１）ベースバンドプレートを人為的に配分するセルに対しては、配分を行わない。
２）第１類のセル、第２類のセルに対しては、それぞれ単独にベースバンドプレートを配分する。
３）第３類のセルに対しては、先にアウトドーアセルで後にインドアセルという配分順序で配分する。
４）一つのセルに対しては、複数のベースバンドプレートを配分できる。
５）複数の基地局により構築されたクラスタ環境において、一のＢＢＵフレームに含まれるセルに対しては、当該一のＢＢＵフレームに含まれるベースバンドプレートを配分することを優先し、当該一のＢＢＵフレームに含まれるベースバンドプレートを配分できない場合に限り、当該一のＢＢＵフレームと異なる他のＢＢＵフレームに含まれるベースバンドプレートを配分する。
６）一のＢＢＵフレームから当該一のＢＢＵフレームと異なる他のＢＢＵフレームに移されるセルのトータルの数は、異なるＢＢＵフレームの間のセルの移しを許容する数に制限される。
【００２５】
ステップＢの処理は、具体的には、ステップＢ１、ステップＢ２、ステップＢ３を含む。
（ステップＢ１）
すべてのＢＢＵフレームに順次アクセスし、配分原則に従って、一のＢＢＵフレームに対応する未配分セルの集合に属するセルに対して、当該一のＢＢＵフレームに対応するアイドルベースバンドプレートの集合に属するベースバンドプレートを配分する。ベースバンドプレートの配分が成功すれば、当該セルを、当該未配分セルの集合から削除し、当該一のＢＢＵフレームに対応する配分済セルの集合に属させる。一方、当該一のＢＢＵフレームに対応するアイドルベースバンドプレートの集合に属するベースバンドプレートのベースバンドリソースが足らず、ベースバンドプレートの配分が失敗すれば、当該セルを、当該未配分セルの集合から削除し、当該一のＢＢＵフレームに対応する未調整セルの集合に属させる。ステップＢ１の処理は、具体的には、次の処理を含む。
すべてのＢＢＵフレームに順次アクセスし、各ＢＢＵフレームに対応する未配分セルの集合に属するセルに対して、一回のみ、そのセルを含むＢＢＵフレームに対応するアイドルベースバンドプレートの集合に属するベースバンドプレートを配分する。各ＢＢＵフレームに対応する未配分セルの集合に属するセルに対して、ベースバンドプレートの配分が成功すれば、そのセルを、そのセルの属する未配分セルの集合から削除し、そのセルを含むＢＢＵフレームに対応する配分済セルの集合に属させる。また、使用されていないベースバンドリソースが無くなったベースバンドプレートを、そのベースバンドプレートの属するアイドルベースバンドプレートの集合から削除する。一方、各ＢＢＵフレームに対応する未配分セルの集合に属するセルに対して、そのセルを含むＢＢＵフレームに対応するアイドルベースバンドプレートの集合に属するベースバンドプレートのベースバンドリソースが足らず、ベースバンドプレートの配分が失敗すれば、そのセルを、そのセルの属する未配分セルの集合から削除し、そのセルを含むＢＢＵフレームに対応する未調整セルの集合に属させる。このようにして、すべてのＢＢＵフレームに対応する未配分セルの集合を空にする。
【００２６】
（ステップＢ２）
ステップＢ１の処理に続いて、すべてのＢＢＵフレームに順次アクセスし、配分原則に従って、一のＢＢＵフレームに対応する未調整セルの集合に属するセルに対して、当該一のＢＢＵフレームに対応する関連のＢＢＵフレームの集合に包含される他のＢＢＵフレームに含まれるアイドルベースバンドプレートの集合の中のベースバンドプレートを配分する。ステップＢ２の処理は、具体的には、ステップＢ２１、ステップＢ２２、ステップＢ２３、ステップＢ２４、ステップＢ２５を含む。
（ステップＢ２１）
すべてのＢＢＵフレームに順次アクセスし、各ＢＢＵフレームに対応する未調整セルの集合が空であるか否かを判断する。一のＢＢＵフレームに対応する未調整セルの集合が空でない場合、ステップＢ２２の処理に進む。
（ステップＢ２２）
当該一のＢＢＵフレームに対応する関連のＢＢＵフレームの集合に包含される他のＢＢＵフレームを、他のＢＢＵフレームのアイドルベースバンドプレートの集合のそれぞれに含まれるベースバンドプレートにおける使用されていないベースバンドリソースの量に基づいて降順に並べる。
（ステップＢ２３）
当該未調整セルの集合に属するセルに対して、ステップＢ２２の処理において降順に並べた順にしたがって他のＢＢＵフレームのアイドルベースバンドプレートの集合に含まれるベースバンドプレートを配分する。ベースバンドプレートの配分が成功すれば、ステップＢ２４の処理に進み、ベースバンドプレートの配分が失敗すれば、ステップＢ２５の処理に進む。
（ステップＢ２４）
ステップＢ２３の処理においてベースバンドプレートの配分が成功したセルを、当該セルの属する未調整セルの集合から削除し、配分されたベースバンドプレートを含む他のＢＢＵフレームに対応する配分済セルの集合に属させる。また、当該一のＢＢＵフレームに対応する関連のＢＢＵフレームの集合に包含される他のＢＢＵフレームに含まれるアイドルベースバンドプレートの集合の中のベースバンドプレートにおける使用されていないベースバンドリソースの量を更新し、ステップＢ２１の処理に戻る。
（ステップＢ２５）
当該未調整セルの集合に属するセルに対して、ステップＢ２２の処理において降順に並べたすべての他のＢＢＵフレームに含まれるベースバンドプレートを配分できないため、当該セルに対するベースバンドプレートの配分が失敗したとしてプロセスを終了する。
【００２７】
（ステップＢ３）
ステップＢ２の処理に続いて、すべてのＢＢＵフレームに順次アクセスし、配分原則に従って、一のＢＢＵフレームに対応するアイドルベースバンドプレートの集合に属する使用されていないベースバンドリソースを有するベースバンドプレートを、当該一のＢＢＵフレームに対応する配分済セルの集合に属するセルに配分する。ステップＢ３の処理は、具体的には、次の処理を含む。
すべてのＢＢＵフレームに順次アクセスし、一のＢＢＵフレームのアイドルベースバンドプレートの集合が空でない場合、当該一のＢＢＵフレームに対応する配分済セルの集合に属するすべてのセルを、当該一のＢＢＵフレームに対応する未配分セルの集合に属させる。そして、使用されていないベースバンドリソースを有するベースバンドプレートが無くなるまで、当該未配分セルの集合に属するセルに対して、当該一のＢＢＵフレームに対応するアイドルベースバンドの集合に属するベースバンドプレートを更に配分する。使用されていないベースバンドリソースが無くなったベースバンドプレートは、当該アイドルベースバンドプレートの集合から削除される。
【００２８】
図２に示すように、本発明の実施例に係るベースバンドリソースの配分装置は、生成ユニット１０と配分ユニット２０とを含む。
生成ユニット１０は、すべてのセルとすべてのベースバンドプレートとに順次アクセスし、これらから同一のＢＢＵによりカバーされるセルと当該同一のＢＢＵに含まれるベースバンドプレートとを抽出して構成されるＢＢＵフレームを複数作り、すべてのＢＢＵフレームに順次アクセスし、各ＢＢＵフレームごとに、未配分セルの集合、配分済セルの集合、未調整セルの集合、アイドルベースバンドプレートの集合および関連のＢＢＵフレームの集合を作り、一のＢＢＵフレームに含まれるセルのうち、ベースバンドプレートが配分されていないセルを当該一のＢＢＵフレームに対応する未配分セルの集合に属させ、一のＢＢＵフレームに含まれるベースバンドプレートのうち、使用されていないベースバンドリソースを有するベースバンドプレートを当該一のＢＢＵフレームに対応するアイドルベースバンドプレートの集合に属させ、一のＢＢＵフレームと異なる使用されていないベースバンドリソースを有するベースバンドプレートを含む他のＢＢＵフレームに対し、その中のベースバンドプレートを当該一のＢＢＵフレームに含まれるセルに配分可能であれば、当該他のＢＢＵフレームを当該一のＢＢＵフレームに対応する関連のＢＢＵフレームの集合に属させる。
【００２９】
配分ユニット２０は、生成ユニット１０により作られた各種の集合が含まれるすべてのＢＢＵフレームに順次アクセスし、使用されていないベースバンドリソースを有するベースバンドプレートが無くなるまで、配分原則に従って、すべてのＢＢＵフレームに含まれるベースバンドプレートを各ＢＢＵフレームに含まれるセルに配分する。
【００３０】
ベースバンドプレートの配分原則は以下の通りである。
１）ベースバンドプレートを人為的に配分したセルに対しては、配分を行わない。
２）第１類のセル、第２類のセルに対しては、それぞれ単独にベースバンドプレートを配分する。
３）第３類のセルに対しては、先にアウトドーアセルで後にインドアセルという配分順序で配分する。
４）一つのセルに対しては、複数のベースバンドプレートを配分できる。
５）複数の基地局により構築されたクラスタ環境において、一のＢＢＵフレームに含まれるセルに対しては、当該一のＢＢＵフレームに含まれるベースバンドプレートを配分することを優先し、当該一のＢＢＵフレームに含まれるベースバンドプレートを配分できない場合に限り、当該一のＢＢＵフレームと異なる他のＢＢＵフレームに含まれるベースバンドプレートを配分する。
６）一のＢＢＵフレームから当該一のＢＢＵフレームと異なる他のＢＢＵフレームに移されるセルのトータルの数は、異なるＢＢＵフレームの間のセルの移しを許容する数に制限される。
【００３１】
配分ユニット２０は、使用されていないベースバンドリソースを有するベースバンドプレートが無くなるまで、配分原則に従って、すべてのＢＢＵフレームに含まれるベースバンドプレートを各ＢＢＵフレームに含まれるセルに配分する。具体的な配分過程は、以下の通りである。
すべてのＢＢＵフレームに順次アクセスし、配分原則に従って、一のＢＢＵフレームに対応する未配分セルの集合に属するセルに対して、当該一のＢＢＵフレームに対応するアイドルベースバンドプレートの集合に属するベースバンドプレートを配分する。ベースバンドプレートの配分が成功すれば、当該セルを、当該未配分セルの集合から削除し、当該一のＢＢＵフレームに対応する配分済セルの集合に属させる。一方、当該一のＢＢＵフレームに対応するアイドルベースバンドプレートの集合に属するベースバンドプレートのベースバンドリソースが足らず、ベースバンドプレートの配分が失敗すれば、当該セルを、当該未配分セルの集合から削除し、当該一のＢＢＵフレームに対応する未調整セルの集合に属させる。
【００３２】
すべてのＢＢＵフレームに順次アクセスし、配分原則に従って、一のＢＢＵフレームに対応する未調整セルの集合に属するセルに対して、当該一のＢＢＵフレームに対応する関連のＢＢＵフレームの集合に包含される他のＢＢＵフレームのアイドルベースバンドプレートの集合に含まれるベースバンドプレートを配分する。
【００３３】
すべてのＢＢＵフレームに順次アクセスし、配分原則に従って、一のＢＢＵフレームに対応するアイドルベースバンドプレートの集合に属する使用されていないベースバンドリソースを有するベースバンドプレートを、当該一のＢＢＵフレームに対応する配分済セルの集合に属するセルに配分する。
【００３４】
当業者は、上述した方法における全部又は一部のステップの処理は、プログラムにより関連のハードウェアを指示することにより達成でき、該プログラムは、コンピュータ読み取り可能な記憶媒体、例えば読取り専用メモリ、ディスク又はＣＤ等に記憶することができることを理解すべきである。選択的に、上述した実施例の全部又は一部のステップの処理は１つ又は複数の集積回路を用いて実現することができる。相応的に、上述した実施例における各モジュール／ユニットは、ハードウェアの形式を採用して実現してよく、ソフトウェア機能モジュールの形式を採用して実現してもよい。本発明は、いずれかの特定形式のハードウェアとソフトウェアの結合に限定されない。
【００３５】
なお、本発明は更に他の多種の実施例を有してよく、本発明の精神及び主旨を逸脱しない上に、当業者は本発明により各種の相応の改良と修正を行うことができるが、これらの改良と修正は本発明の請求の範囲の保護範囲に属すべきである。
【産業上の利用可能性】
【００３６】
本発明の実施例に係るベースバンドリソースの配分方法及びベースバンドリソースの配分装置は、基地局のベースバンドリソースを自動配分する方式を採用し、配分原則に従って循環方式によってセルにベースバンドリソースを配分し、十分にベースバンドリソースを利用することができるとともにサービス担当者に対する技術要求を低下させ、同時に人が関与する過程を減少したので、エラーの確率も低下させ、クラスタ環境において大規模な基地局を構成する際、その作業効率を大幅に向上させることができる。
【図１】
0005865508.tif 000002
【図２】
0005865508.tif 000003